(57)【要約】      （修正有）【課題】カレンダー用紙をめくる必要がない使い勝手の向上を図ったカレンダーを提供する。【解決手段】基板２と、暦が表示された複数のシート部材３と、を備え、複数のシート部材のうち少なくとも２枚が、基板上に並べられて、基板に係脱自在に係止されている。基板は、係止部４を有し、複数のシート部材は、それぞれ、係止部に係止される係止孔３０を有する。また基板は、各シート部材を係止する分割板を複数備え、互いに隣接する分割板間には、分割板同士を連結する連結部６が設けられている。【選択図】図１
0003190431.tif 000002
【実用新案登録請求の範囲】
【請求項１】
基板と、
暦が表示された複数のシート部材と、を備えたカレンダーであって、
前記複数のシート部材のうち少なくとも２枚が、前記基板上に並べられて、前記基板に係脱自在に係止されていることを特徴とするカレンダー。
【請求項２】
前記基板が、前記複数のシート部材を係脱自在に係止する係止部を有し、
前記複数のシート部材が、それぞれ、前記係止部に係止される係止孔を有し、
前記係止部が、前記基板に立設された立設板と、該立設板から鉛直方向の上方に延出形成されて前記基板に対向する対向板と、を備え、
前記対向板の平面形状が、上方に向かうに従って水平方向の寸法が徐々に小さくなる台形状に形成され、
前記係止孔が、上底の寸法が下底の寸法よりも小さい台形状に形成されているとともに、前記対向板の平面形状を含む大きさの貫通孔から構成されていることを特徴とする請求項１記載のカレンダー。
【請求項３】
前記基板が、紙材から構成され、
前記基板には、該基板を補強する補強紙が貼付され、
前記補強紙が、水平方向に延在して設けられていることを特徴とする請求項１又は請求項２記載のカレンダー。
【請求項４】
前記基板が、前記各シート部材を係止する分割板を複数備え、
互いに隣接する前記分割板間には、前記分割板同士を連結する連結部が設けられ、
前記連結部が、リング部を備え、
前記リング部が、前記分割板に形成された挿入孔に挿入されることで、前記分割板が前記リング部の周方向に沿って移動自在に設けられていることを特徴とする請求項１乃至請求項３のうちいずれか一項記載のカレンダー。
【考案の詳細な説明】
【技術分野】
【０００１】
本考案は、壁掛け用カレンダーに関する。
【背景技術】
【０００２】
引用文献１には、壁掛け用カレンダーが開示されている。この従来の壁掛け用カレンダーは、図５に示すように、１年分のカレンダー用紙１０１と、これらのカレンダー用紙１０１を重ねた状態で固定する固定部材１０２と、を備えて構成されている。従来の壁掛け用カレンダー１００は、所謂月めくりカレンダーである。即ち、１年分のカレンダー用紙１０１には、それぞれ、月単位の暦を示す数字や文字等が表示されて、月が替わるごとにめくられて用いられるものである。
【先行技術文献】
【特許文献】
【０００３】
【特許文献１】特開２０１３−２４８８４０号公報
【考案の概要】
【考案が解決しようとする課題】
【０００４】
しかしながら、上述した従来の壁掛け用カレンダー１００にあっては、各カレンダー用紙１０１に当月の暦のみしか表示されていないので、例えば、翌月の暦を確認したり、翌月の予定をカレンダー用紙１０１に書き込んだりする際には、いちいちカレンダー用紙１０１をめくらなくてはならず、手間がかかって面倒であるという問題があった。
【０００５】
本考案は、使い勝手の向上を図ったカレンダーを提供することを目的とする。
【課題を解決するための手段】
【０００６】
請求項１に記載の本考案は、基板と、
暦が表示された複数のシート部材と、を備えたカレンダーであって、
前記複数のシート部材のうち少なくとも２枚が、前記基板上に並べられて、前記基板に係脱自在に係止されていることを特徴とするカレンダーである。
【０００７】
請求項２に記載の本考案は、請求項１記載の本考案において、前記基板が、前記複数のシート部材を係脱自在に係止する係止部を有し、
前記複数のシート部材が、それぞれ、前記係止部に係止される係止孔を有し、
前記係止部が、前記基板に立設された立設板と、該立設板から鉛直方向の上方に延出形成されて前記基板に対向する対向板と、を備え、
前記対向板の平面形状が、上方に向かうに従って水平方向の寸法が徐々に小さくなる台形状に形成され、
前記係止孔が、上底の寸法が下底の寸法よりも小さい台形状に形成されているとともに、前記対向板の平面形状を含む大きさの貫通孔から構成されていることを特徴とする。
【０００８】
請求項３に記載の本考案は、請求項１又は請求項２記載の本考案において、前記基板が、紙材から構成され、
前記基板には、該基板を補強する補強紙が貼付され、
前記補強紙が、水平方向に延在して設けられていることを特徴とする。
【０００９】
請求項４に記載の本考案は、請求項１乃至請求項３記載の本考案において、前記基板が、前記各シート部材を係止する分割板を複数備え、
互いに隣接する前記分割板間には、前記分割板同士を連結する連結部が設けられ、
前記連結部が、リング部を備え、
前記リング部が、前記分割板に形成された挿入孔に挿入されることで、前記分割板が前記リング部の周方向に沿って移動自在に設けられていることを特徴とする。
【考案の効果】
【００１０】
請求項１に記載の本考案によれば、複数のシート部材のうち少なくとも２枚が、基板上に並べられているから、例えば、本考案のカレンダーが月単位の暦を示すカレンダーであった場合には、翌月の暦や予定を確認したり、翌月の予定をシート部材に書き込んだりする際に、いちいちシート部材をめくる必要がなくなり、使用者の手間を省くことができる。
【００１１】
また、カレンダー用紙が、基板に係脱自在に係止されているから、簡単にシート部材を掛け替えることができる。このようにシート部材を掛け替えて用いることで、例えば、使い終わったシート部材やこれから使う予定のシート部材を、使用中のシート部材の裏側に重ねて保存することもできる。従って、使い勝手の向上を図ったカレンダーを提供することができる。
【００１２】
請求項２に記載の本考案によれば、シート部材を掛け替える際には、掛け替えるシート部材のみを持ち上げて、シート部材の係止孔の下底を基板の立設板に当接させ、この状態で、シート部材を基板から離れる方向に引っ張る。この際、シート部材の係止孔は、対向板の平面形状を含む大きさに形成されているから、係止孔を引っ掛かることなく対向板から引き抜くことができる。こうして、係止部の係止孔への係止が解除されるから、シート部材を基板からスムーズに取り外すことができる。
【００１３】
また、シート部材を基板に取り付ける際には、シート部材の係止孔を、上方から、対向板の上底近傍に近付けることで、係止部の対向板に挿通される。こうして係止孔に係止部が係止して、基板にシート部材を取り付けることができる。この際、シート部材の係止孔は、上底の寸法が下底の寸法よりも小さい台形状に形成されているから、係止部が係止孔に係止した際に、シート部材が、係止孔の斜辺に沿って案内されて、基板に対して水平方向に位置決めされる。このように、本考案のカレンダーが、壁などの使用者の所望する場所に掛けられた使用状態のままで、簡単に、シート部材を位置決めしつつ掛け替えることができるから、より一層、使い勝手の向上を図ることができる。
【００１４】
請求項３に記載の本考案によれば、基板が、紙から構成され、基板には、該基板を補強する補強紙が貼付され、補強紙が、水平方向に延在して設けられている。ここで、基板が紙から構成された場合には、乾燥や湿気の影響で、基板の水平方向の両端部が弓なりに曲がることがある。このことで、カレンダーの水平方向の両端部に表示された部分が見難くなったり、カレンダー自体の見栄えが悪くなる懸念があるが、補強板が基板に貼付されることにより、基板が補強されることとなり、基板が弓なりに曲がるのを抑制することができる。
【００１５】
請求項４に記載の本考案によれば、基板が、各シート部材を係止する分割板を複数備え、互いに隣接する分割板間には、分割板同士を連結する連結部が設けられ、連結部が、リング部を備え、リング部が、分割板に形成された挿入孔に挿入されることで、分割板がリング部の周方向に沿って移動自在に設けられている。よって、分割板をリング部の周方向に沿って移動させつつ、分割板同士を重ねることで、本考案のカレンダーを折り畳み自在にすることができる。このように、本考案のカレンダーを折り畳み自在に設けることにより、使用者の所望する大きさに折り畳んで用いることができるから、より一層、使い勝手の向上を図ることができる。
【図面の簡単な説明】
【００１６】
【図１】本考案の一実施の形態にかかるカレンダーを示す斜視図である。
【図２】図１に示されたカレンダーを構成する台紙を示す平面図である。
【図３】（Ａ）は、分割板に形成された係止部を示す平面図であり、（Ｂ）は、シート部材の係止部に係止される係止孔を示す平面図であり、（Ｃ）は、係止部が係止孔に係止する様子を示す斜視図である。
【図４】図１に示されたカレンダーにおいて、シート部材を掛け替える様子を示す斜視図である。
【図５】従来の壁掛け用カレンダーを示す平面図である。
【考案を実施するための形態】
【００１７】
以下、本考案の例示的一実施形態にかかる壁掛け用カレンダーを、図１〜図４を参照して説明する。壁掛け用カレンダー１は、図１に示すように、互いに連結された３枚の分割板２（基板）と、月単位の暦が印字された１２枚のカレンダー用紙３（シート部材）と、を備えて構成されている。３枚の分割板２は、それぞれ、同一形状の長方形状に形成され、１２枚のカレンダー用紙３は、それぞれ、同一形状の長方形状に形成されている。
【００１８】
各分割板２は、本実施形態では紙材から構成されている。各カレンダー用紙３は、本実施形態では紙材から構成されている。また、本実施形態において、各分割板２は、各カレンダー用紙３よりも厚みが厚い紙材から構成されている。本実施形態では、各分割板２及び各カレンダー用紙３は、紙材から構成されているが、各分割板２及び各カレンダー用紙３、又は、各分割板２と各カレンダー用紙３とのうち何れか一方が、樹脂製のシート材から構成されていてもよい。
【００１９】
ここで、本考案の壁掛け用カレンダー１は、各分割板２及び各カレンダー用紙３の長手方向が水平方向に沿い、幅方向が鉛直方向に沿うように配置されている。図１等に示すように、水平方向を矢印Ｘで示し、鉛直方向を矢印Ｙで示し、カレンダー用紙３の厚さ方向を矢印Ｚで示す。また、本明細書中では、水平方向を「左右方向」と記し、鉛直方向を「上下方向」と記し、これらの左右方向と上下方向に直交する方向を「前後方向」と記す場合がある。この前後方向のうち、使用者に近付く方向を「前方」と記し、使用者から離隔する方向を「後方」と記す。
【００２０】
３枚の分割板２は、それぞれ、その長手方向の寸法が、カレンダー用紙３の長手方向の寸法と略等しくなるように形成され、その幅方向の寸法が、カレンダー用紙３の幅方向の寸法よりも僅かに大きくなるように形成されている。
【００２１】
各分割板２には、図２に示すように、カレンダー用紙３を係止するための一対の係止部４が固定されている。一対の係止部４は、分割板２の上端から下方に間隔をあけるとともに、一対の係止部４同士が左右方向（矢印Ｘ方向）に間隔をあけた位置に設けられている。各係止部４は、ポリアセタールから構成されている。即ち、係止部４は、ポリアセタールから構成されていることにより、変形し易く、折れ難くなるように形成されている。この係止部４がカレンダー用紙３を係止することで、分割板２は、その左右方向の両縁と、カレンダー用紙３の左右方向の両縁とが重ねられ、その上下方向の両端部が、カレンダー用紙３から露出するように配置されている。係止部４がカレンダー用紙３を係止した状態で、分割板２の上下方向の両端部において、カレンダー用紙３から露出した部分に、分割板２同士を連結する連結部６が挿入される連結部挿入孔７が設けられている。
【００２２】
一対の係止部４は、図３（Ａ）（Ｃ）に示すように、それぞれ、上底の寸法が下底の寸法よりも小さい台形板状の基台部４１と、この基台部４１から上下方向（矢印Ｙ方向）に延出形成されるとともに、基台部４１に対して後方側への段差を有して設けられた一対の舌片４２と、基台部４１の下端において前方に立設される立設板４３と、該立設板４３から上方に延出されて分割板２に対向する対向板４４と、を備えて構成されている。対向板４４の平面形状は、上底の寸法が下底の寸法よりも小さい台形状に形成されている。
【００２３】
さらに分割板２には、図３（Ｃ）に示すように、一対の係止部４が固定される位置に、各一対の固定孔５が形成されている。各一対の固定孔５は、分割板２に形成された貫通孔であり、各係止部４の一対の舌片４２が、挿入可能な程度の大きさとなるように形成されている。
【００２４】
このような係止部４は、上方側の舌片４２を一対の固定孔５のうち上方側の一方に挿入し、下方側の舌片４２を一対の固定孔５のうち下方側の他方に挿入することにより、分割板２に固定されている。
【００２５】
３枚の分割板２は、図２に示すように、２個の連結部６によって、上下に互いに連結されている。ここで、３枚の分割板２は、上下に互いに連結しているから、以下では、図１、図２に示す最も上方に位置する分割板２を「第１分割板２Ａ」と記し、最も下方に位置する分割板２を「第３分割板２Ｃ」、第１分割板２Ａと第３分割板２Ｃとの間に位置する分割板２を「第２分割板２Ｂ」と記す。２個の連結部６は、第１分割板２Ａと第２分割板２Ｂとの間、及び、第２分割板２Ｂと第３分割板２Ｃとの間、にそれぞれ設けられている。
【００２６】
さらに、第１分割板２Ａには、その上端部における左右方向（矢印Ｘ方向）の中央部に、互いに連結された分割板２Ａ、２Ｂ、２Ｃを壁に掛けるためのフック２０が設けられている。また、第１分割板２Ａには、該第１分割板２Ａを補強するための補強紙２１が貼付されている。補強紙２１は、第１分割板２Ａの後方側の面に、上端から間隔をあけて設けられている。この補強紙２１は、第１分割板２Ａの水平方向（矢印Ｘ方向）の全長に設けられている。このように補強紙２１が第１分割板２Ａに貼付されていることにより、第１分割板２Ａ（基板）が補強されることとなり、よって、乾燥や湿気の影響で、第１分割板２Ａが弓なりに曲がるのを抑制することができる。
【００２７】
各連結部６は、ワイヤーを櫛状に折り曲げて櫛状部を形成し、この櫛状部を環状にして形成されたリング部６０を、分割板２Ａ、２Ｂ、２Ｃに形成された連結部挿入孔７（挿入孔）に挿入させることで、上下に隣接する分割板２Ａ、２Ｂ、２Ｃ同士を互いに連結させている。このような連結部６が、第１分割板２Ａと第２分割板２Ｂとの間、及び、第２分割板２Ｂと第３分割板２Ｃとの間、にそれぞれ設けられていることにより、分割板２Ａ、２Ｂ、２Ｃが、リング部６０の周方向に沿って移動自在に連結されることとなる。よって、分割板２Ａ、２Ｂ、２Ｃをリング部６０の周方向に沿って移動させつつ、分割板２Ａ、２Ｂ、２Ｃ同士を重ねることで、本考案のカレンダー１を折り畳み自在にすることができる。
【００２８】
カレンダー用紙３には、図３（Ｂ）に示すように、上底３０ｂの寸法が下底３０ａの寸法よりも小さい台形状に形成されているとともに、対向板４４の平面形状を含む大きさの貫通孔から構成された係止孔３０が形成されている。この係止孔３０は、上底３０ｂの寸法が下底３０ａの寸法よりも小さい台形状に形成されているから、係止部４が係止孔３０に係止した際に、カレンダー用紙３が、係止孔３０の斜辺に沿って案内されて、分割板２Ａ、２Ｂ、２Ｃに対して左右方向（矢印Ｘ方向）に位置決めされる。即ち、係止部４が係止孔３０を係止することで、分割板２の左右方向の両縁に、カレンダー用紙３の左右方向の両縁が、重ねられた状態で配置される。
【００２９】
続いて、本考案のカレンダー１の使用例の一例について、図４を参照して説明する。まず、最初に、図４（Ａ）に示すように、フック２０を用いて、係止部４の対向板４４と使用者とが対向する格好で、カレンダー１を所望の位置に固定する。すると、第１分割板２Ａ、第２分割板２Ｂ、第３分割板２Ｃの順番で、上から下へと、配置される。
【００３０】
当月が１２月の場合には、１２月の暦を示すカレンダー用紙３を、印字された面が使用者側を向く格好で、その係止孔３０を、第１分割板２Ａの係止部４に近付ける。一対の係止部４の各対向板４４に各係止孔３０が挿通され、１２月のカレンダー用紙３が、係止部４に係止される。こうして、１２月のカレンダー用紙３を第１分割板２Ａに取り付ける。次に、翌年の１月の暦を示すカレンダー用紙３を、第２分割板２Ｂに取り付ける。続いて、２月の暦を示すカレンダー用紙３を、第３分割板２Ｃに取り付ける。この際、２月のカレンダー用紙３の後方側（使用者から離れた側）には、３月以降の暦を示すカレンダー用紙３が重ねられている。つまり、第３分割板２Ｃには、２月以降の暦を示すカレンダー用紙３が重ねて取り付けられている。
【００３１】
月が替わった場合には、図４（Ｂ）に示すように、第２分割板２Ｂに取り付けられたカレンダー用紙３を持ち上げて、係止孔３０の下底３０ａを立設板４３に当接させ、この状態で、カレンダー用紙３を分割板２Ａ、２Ｂ、２Ｃから離れる方向に引っ張る。すると、カレンダー用紙３の係止孔３０は、対向板４４の平面形状を含む大きさの係止孔３０から構成されているから、係止孔３０が引っ掛かることなく引き抜かれる。こうして、カレンダー用紙３を取り外し、この取り外したカレンダー用紙３を前述した手順で、第１分割板２Ａに取り付ける。この後、第３分割板２Ｃに取り付けられたカレンダー用紙３を取り外し、第２分割板２Ｂに取り付ける。すると、３月の暦を示すカレンダー用紙３が、第３分割板２Ｃ上に出現する（露出する）。このように本考案のカレンダー１を使用する。
【００３２】
このような本考案のカレンダー１は、複数のカレンダー用紙３（シート部材）のうち少なくとも２枚が、分割板２Ａ、２Ｂ、２Ｃ上に並べられて、分割板２Ａ、２Ｂ、２Ｃに係脱自在に係止されていることで、翌月の暦や予定を確認したり、翌月の予定をカレンダー用紙３（シート部材）に書き込んだりする際に、いちいちカレンダー用紙３をめくる必要がなくなり、使用者の手間を省くことができるから、使い勝手の向上を図ることができる。
【００３３】
また、カレンダー用紙３を別の分割板２Ａ、２Ｂ、２Ｃに掛け替える際には、掛け替えるカレンダー用紙３のみを持ち上げて、係止孔３０の下底３０ａを立設板４３に当接させ、この状態で、カレンダー用紙３を分割板２Ａ、２Ｂ、２Ｃから離れる方向に引っ張る。この際、カレンダー用紙３の係止孔３０は、対向板４４の平面形状を含む大きさの貫通孔から構成されているから、係止孔３０を引っ掛かることなく対向板４４から引き抜くことができる。こうして、係止部４の係止孔３０への係止が解除されるから、カレンダー用紙３を分割板２Ａ、２Ｂ、２Ｃからスムーズに取り外すことができる。
【００３４】
また、カレンダー用紙３を分割板２Ａ、２Ｂ、２Ｃに取り付ける際には、カレンダー用紙３の係止孔３０を、上方から、対向板４４の上底近傍に近付けることで、係止部４の対向板４４に挿通される。こうして係止孔３０に係止部４が係止して、分割板２Ａ、２Ｂ、２Ｃにカレンダー用紙３を取り付けることができる。この際、カレンダー用紙３の係止孔３０は、上底３０ｂの寸法が下底３０ａの寸法よりも小さい台形状に形成されているから、係止部４が係止孔３０に係止した際に、カレンダー用紙３が、係止孔３０の斜辺に沿って案内されて、分割板２Ａ、２Ｂ、２Ｃに対して水平方向（矢印Ｘ方向）に位置決めされる。こうして、カレンダー用紙３を分割板２Ａ、２Ｂ、２Ｃに取り付ける。このように、本考案のカレンダー１が、壁などの使用者の所望する場所に掛けられた使用状態のままで、簡単に、カレンダー用紙３を掛け替えることができる。
【００３５】
なお、上述した実施形態では、３か月分の暦が表示されるように、３枚の分割板２Ａ、２Ｂ、２Ｃが並んだ状態で配置されていたが、本考案はこれに限定されるものではなく、３枚のうち１枚の分割板が折り返されて、２か月分の暦が表示されるように、２枚の分割板が並んだ状態で配置されて用いられていてもよい。また、本考案のカレンダー１は、基板が、３枚の分割板２Ａ、２Ｂ、２Ｃから構成されていたが、２枚の分割板から構成されていてもよい。この場合には、２か月分の暦が表示されることとなる。また、本考案のカレンダー１は、４枚以上の分割板から構成されていてもよい。
【００３６】
また、上述した実施形態では、３枚の分割板２Ａ、２Ｂ、２Ｃは上下方向（矢印Ｙ方向）に並んで連結されていたが、本考案はこれに限定されるものではなく、３枚の分割板は左右方向（矢印Ｘ方向）に並んで連結されていてもよい。また、左右方向に並んで設けられた分割板は、連結部で連結されていてもよい。
【００３７】
また、上述した実施形態では、本考案のカレンダー１は、各カレンダー用紙３に、月単位の暦が印字されたカレンダーであるが、本考案はこれに限定されるものではない。本考案のカレンダー１は、各カレンダー用紙３に、日単位の暦が印字されたカレンダーであってもよい。即ち、カレンダー用紙３には、年・月・週・日などを単位として区切った暦が印字（表示）されていればよい。
【００３８】
また、上述した実施形態では、係止部４は、ポリアセタールから構成されているが、本考案はこれに限定されるものではない。係止部は、ポリエチレン、ポリプロピレン、ポリエチレンテレフタレート、ポリアミド、ポリスチレンから構成されていてもよく、係止部を構成するのに好ましい材質、構造のものを適宜選択してもよい。
【００３９】
また、上述した実施形態では、連結部６は、ワイヤーを櫛状に折り曲げて櫛状部を形成し、この櫛状部を環状にして形成されたリング部６０を、分割板２Ａ、２Ｂ、２Ｃに形成された連結部挿入孔７（挿入孔）に挿入させることで構成されていたが、本考案はこれに限定されるものではない。連結部６は、ワイヤーをスパイラル状（リング部）に曲げて、分割板２Ａ、２Ｂ、２Ｃに形成された挿入孔に挿入することで構成してもよく、ワイヤーを曲げて環状部（リング部）を１以上形成し、この環状部を、各分割板に形成された１以上の挿入孔に、挿入することで構成してもよい。環状部が１つの場合には、挿入孔は分割板の左右の中央部に形成されていてもよく、環状部が２つの場合には、挿入孔は分割板の左右の両端部に形成されていてもよい。
【００４０】
その他、当業者は、従来公知の知見に従い、本考案のカレンダーを適宜改変することができる。かかる改変によってもなお本考案のカレンダーの構成を具備する限り、勿論、本考案の範疇に含まれるものである。
【符号の説明】
【００４１】
１        壁掛け用カレンダー（カレンダー）
２Ａ      第１分割板（分割板）
２Ｂ      第２分割板（分割板）
２Ｃ      第３分割板（分割板）
３        カレンダー用紙（シート部材）
４        係止部
６        連結部
７        連結部挿入孔（挿入孔）
２１      補強紙
３０      係止孔
４３      立設板
４４      対向板
６０      リング部
【図１】
0003190431.tif 000003
【図２】
0003190431.tif 000004
【図３】
0003190431.tif 000005
【図４】
0003190431.tif 000006
【図５】
0003190431.tif 000007